(57)【要約】      （修正有）【課題】回路基板の外縁部の近くにスイッチを配置できない場合でも、操作ボタンの操作によって外縁部側からスイッチを作動させることができるウェアラブル装置を提供する。【解決手段】ウェアラブル装置は、操作ボタン１０Ａと、回路基板２０と、操作ボタン１０Ａへの操作に伴って移動する可動部材１２Ａと、回路基板２０の配線と接続され、可動部材１２Ａの移動に応じて作動するスイッチ１１Ａとを有する。回路基板２０は、外縁部から離れた位置に形成され、スイッチ１１Ａが配置される孔２２Ａと、外縁部から孔２２Ａに向かって延びたスリット２３Ａとを含む。可動部材１２Ａは、スリット２３Ａに位置しており、スリット２３Ａに沿って移動する。【選択図】図５
2018185226.tif 000002
【特許請求の範囲】
【請求項１】
操作ボタンと、
回路基板と、
前記操作ボタンへの操作に伴って移動する可動部材と、
前記回路基板の配線と接続され、前記可動部材の移動に応じて作動するスイッチとを有し、
前記回路基板は、
外縁部から離れた位置に形成され、前記スイッチが配置される孔と、
前記外縁部から前記孔に向かって延びたスリットとを含み、
前記可動部材は、前記スリットに配置されており、前記スリットに沿って移動する、
ウェアラブル装置。
【請求項２】
前記回路基板の一方の面を覆うカバー部材と、
前記回路基板の前記一方の面において、前記外縁部に沿って配列された複数の発光素子とを有し、
前記孔は、前記発光素子よりも前記外縁部から離れた位置に形成され、
前記スリットは、隣接する２つの前記発光素子の間に形成され、
前記カバー部材は、前記複数の発光素子から出射された光を前記回路基板の前記一方の面に対して垂直な方向へ導く複数の導光路を含む、
請求項１に記載のウェアラブル装置。
【請求項３】
前記カバー部材は、隣接する２つの前記発光素子に対応する２つの前記導光路の間に形成された係合孔を含み、
前記可動部材は、前記係合孔と係合する係合部を含む、
請求項２に記載のウェアラブル装置。
【請求項４】
前記スイッチが取り付けられた可撓性基板を有し、
前記スイッチは、前記可撓性基板の配線を介して前記回路基板の配線と接続される、
請求項１乃至３の何れか一項に記載のウェアラブル装置。
【請求項５】
前記回路基板の前記孔に配置され、前記可動部材の移動方向に対して垂直な支持面を持つ第１支持部材を有し、
前記可撓性基板の一部は、前記支持面と前記スリットとの間に位置しており、
前記支持面と前記スリットとの間において、前記可撓性基板の一方の面と前記支持面とが対向するとともに、前記可撓性基板の他方の面と前記スリットとが対向し、
前記スイッチは、前記可撓性基板の前記他方の面に取り付けられている、
請求項４に記載のウェアラブル装置。
【請求項６】
前記可撓性基板の前記一方の面が前記支持面に接着されている、
請求項５に記載のウェアラブル装置。
【請求項７】
前記第１支持部材の前記支持面は、前記回路基板の前記孔を貫通し、
前記可撓性基板は、前記支持面に沿って延び、前記回路基板の前記孔を貫通する貫通部を含む、
請求項５又は６に記載のウェアラブル装置。
【請求項８】
前記回路基板から離れる方向における前記貫通部の端部を支持する第２支持部材を有する、
請求項７に記載のウェアラブル装置。
【請求項９】
前記貫通部の前記端部には、前記回路基板に向かって窪んだ凹部が形成されており、
前記第２支持部材は、前記凹部と係合する凸部を含む、
請求項８に記載のウェアラブル装置。
【請求項１０】
前記回路基板の一方の面を覆うカバー部材を有し、
前記可撓性基板は、
前記回路基板の一方の面に接続された接続部と、
前記接続部と前記貫通部との間において、前記回路基板の前記一方の面から離れる方向に湾曲した湾曲部とを含み、
前記湾曲部は、前記回路基板の前記一方の面から離れる方向における前記第１支持部材の端部を跨ぐように湾曲しており、
前記カバー部材は、前記回路基板の前記一方の面と平行な方向において前記湾曲部の周囲の少なくとも一部を囲んだ内壁を含む、
請求項７乃至９の何れか一項に記載のウェアラブル装置。
【請求項１１】
前記回路基板の一方の面において、前記外縁部に沿って配列された複数の電子部品を有し、
前記孔は、前記電子部品よりも前記外縁部から離れた位置に形成され、
前記スリットは、隣接する２つの前記電子部品の間に形成される、
請求項１乃至１０の何れか一項に記載のウェアラブル装置。
【請求項１２】
複数の前記操作ボタンと、
前記複数の操作ボタンへの操作に伴って移動する複数の前記可動部材と、
それぞれ前記回路基板の配線と接続され、前記複数の可動部材への操作に応じて作動する複数の前記スイッチとを有し、
前記回路基板は、
前記複数のスイッチが配置される複数の前記孔と、
前記外縁部から前記複数の孔に向かって延びた複数の前記スリットとを含み、
前記複数の操作ボタンは、前記回路基板の平面と平行な方向に並んでいる、
請求項１１に記載のウェアラブル装置。
【請求項１３】
時計ムーブメントと、
２つの前記操作ボタンの間に配置された竜頭と、
前記回路基板の平面と平行に配置され、前記時計ムーブメントと前記竜頭とを結合するシャフトとを有する、
請求項１２に記載のウェアラブル装置。
【請求項１４】
前記電子部品は発光素子であり、
少なくとも１２個の前記発光素子が前記時計ムーブメントの周囲に配置される、
請求項１３に記載のウェアラブル装置。
【発明の詳細な説明】
【技術分野】
【０００１】
本発明は、身に着けて使用可能なウェアラブル装置に関する。
【背景技術】
【０００２】
身に着けて使用される代表的なウェアラブル装置である腕時計には、従来より様々な電子装置が搭載されている。例えば下記の特許文献には、時計の文字盤に配置された複数の発光体をボタンの操作によって順番に点灯させるように構成された腕時計が記載されている。
【先行技術文献】
【特許文献】
【０００３】
【特許文献１】実用新案登録第３０４２４８９号公報
【発明の概要】
【発明が解決しようとする課題】
【０００４】
ウェアラブル装置は身に着けて使用されることから、薄く小型であることが求められる。また、視認なしに指先の感覚だけで操作できるボタン類は操作性に優れているため、ウェアラブル装置に用いられることが多い。例えば腕時計には、文字盤の平面に対して平行な方向に操作されるサイドボタンが設けられている。
【０００５】
ウェアラブル装置の薄いケースの中に回路基板を収容する場合、通常は、ケースの薄い方向と回路基板の厚み方向とを一致させる。この場合、上述したサイドボタンは、回路基板の平面に対して平行に移動することになる。従って、回路基板上のスイッチをサイドボタンによって押圧するためには、サイドボタンが他の部品とぶつからないように、サイドボタンの可動範囲を他の部品の実装範囲と重ならないようにする必要がある。
【０００６】
仮に、スイッチを回路基板の外縁部の近くに取り付けることができれば、サイドボタンの可動範囲と他の部品の実装範囲とが重なることはない。しかしながら、小型のウェアラブル装置においては、部品の配置に関する制約が厳しい傾向があり、回路基板の外縁部の近くにスイッチを配置できないことがある。こうした制約を満たすことができない場合、所望の外観デザインを実現できなかったり、ケースのサイズが大きくなったりするという不利益がある。
【０００７】
本発明はかかる事情に鑑みてなされたものであり、その目的は、回路基板の外縁部の近くにスイッチを配置できない場合でも、操作ボタンの操作によって外縁部側からスイッチを作動させることができるウェアラブル装置を提供することにある。
【課題を解決するための手段】
【０００８】
本発明の一つの側面に係るウェアラブル装置は、操作ボタンと、回路基板と、前記操作ボタンへの操作に伴って移動する可動部材と、前記回路基板の配線と接続され、前記可動部材の移動に応じて作動するスイッチとを有する。前記回路基板は、外縁部から離れた位置に形成され、前記スイッチが配置される孔と、前記外縁部から前記孔に向かって延びたスリットとを含む。前記可動部材は、前記スリットに配置されており、前記スリットに沿って移動する。
【０００９】
この構成によれば、前記回路基板の前記外縁部から離れた位置にある前記孔に前記スイッチが配置されており、前記操作ボタンが操作されると、前記外縁部から前記孔に向かって延びる前記スリットに沿って前記可動部材が移動し、この移動に応じて前記スイッチが作動する。すなわち、前記スイッチが前記回路基板の前記外縁部から離れた位置に配置されていても、前記操作ボタンの操作に伴って前記可動部材が前記スリットを移動することにより、前記スイッチが前記外縁部側から作動させられる。
【００１０】
好適に、前記ウェアラブル装置は、前記回路基板の一方の面を覆うカバー部材と、前記回路基板の前記一方の面において、前記外縁部に沿って配列された複数の発光素子とを有してよい。前記孔は、前記発光素子よりも前記外縁部から離れた位置に形成されてよい。前記スリットは、隣接する２つの前記発光素子の間に形成されてよい。前記カバー部材は、前記複数の発光素子から出射された光を前記回路基板の前記一方の面に対して垂直な方向へ導く複数の導光路を含んでよい。
【００１１】
この構成によれば、前記回路基板における前記外縁部の近くの領域が前記複数の発光素子の配置領域として用いられる。また、前記カバー部材に設けられた前記複数の導光路により、前記複数の発光素子から出射された光が前記回路基板の前記一方の面に対して垂直な方向に導かれる。
【００１２】
好適に、前記カバー部材は、隣接する２つの前記発光素子に対応する２つの前記導光路の間に形成された係合孔を含んでよい。前記可動部材は、前記係合孔と係合する係合部を含んでよい。
【００１３】
この構成によれば、前記可動部材の可動範囲が前記係合孔と前記係合部との係合によって制限される。また、隣接する２つの前記発光素子に対応する２つの前記導光路の間に前記係合孔が形成されるため、前記回路基板の外縁部付近における前記発光素子の配置領域を確保し易い。
【００１４】
好適に、上記ウェアラブル装置は、前記スイッチが取り付けられた可撓性基板を有してよい。前記スイッチは、前記可撓性基板の配線を介して前記回路基板の配線と接続されてよい。
【００１５】
この構成によれば、前記操作ボタンの操作に伴う前記可動部材の移動に応じて前記スイッチに力が作用しても、前記可撓性基板が柔軟に変形し得るため、前記スイッチと前記可撓性基板との接続部分や、前記回路基板と前記可撓性基板との接続部分に作用する力が低減され易くなる。
【００１６】
好適に、上記ウェアラブル装置は、前記回路基板の前記孔に配置され、前記可動部材の移動方向に対して垂直な支持面を持つ第１支持部材を有してよい。前記可撓性基板の一部は、前記支持面と前記スリットとの間に位置してよい。前記支持面と前記スリットとの間において、前記可撓性基板の一方の面と前記支持面とが対向するとともに、前記可撓性基板の他方の面と前記スリットとが対向してよい。前記スイッチは、前記可撓性基板の前記他方の面に取り付けられていてよい。
【００１７】
この構成によれば、前記スリットを移動する前記可動部材により前記スイッチが押圧されると、前記スイッチ及び前記可撓性基板は、前記支持面に向かって押されて、前記可動部材と前記支持面との間に挟まれる。前記支持面が前記可動部材の移動方向に対して垂直であるため、前記可動部材の押圧力は、前記可撓性基板と前記スイッチとの接続を引きは剥がす方向に作用し難い。
【００１８】
好適に、前記可撓性基板の前記一方の面が前記支持面に接着されていてもよい。
【００１９】
この構成によれば、前記可撓性基板の位置が安定的に固定される。また、前記支持面が前記可動部材の移動方向に対して垂直であるため、前記可動部材の押圧力は、前記可撓性基板と前記支持面との接着を引きは剥がす方向に作用し難い。
【００２０】
好適に、前記第１支持部材の前記支持面は、前記回路基板の前記孔を貫通してよい。前記可撓性基板は、前記支持面に沿って延び、前記回路基板の前記孔を貫通する貫通部を含んでよい。
【００２１】
この構成によれば、前記第１支持部材の前記支持面が前記可撓性基板の前記貫通部と共に前記回路基板の前記孔を貫通しているため、前記孔と前記支持面とにより前記可撓性基板の位置が定まり易くなる。
【００２２】
好適に、前記ウェアラブル装置は、前記回路基板から離れる方向における前記貫通部の端部を支持する第２支持部材を有してよい。
【００２３】
この構成によれば、前記回路基板から離れた前記貫通部の前記端部が支持されるため、前記可撓性基板の位置が定まり易くなる。
【００２４】
好適に、前記貫通部の前記端部には、前記回路基板に向かって窪んだ凹部が形成されてよい。前記第２支持部材は、前記凹部と係合する凸部を含んでよい。
【００２５】
この構成によれば、前記貫通部の前記端部において前記回路基板に向かって窪んだ前記凹部が前記第２支持部材の前記凸部と係合することにより、前記回路基板に対して平行な方向における前記端部の位置が定まり易くなる。
【００２６】
好適に、前記ウェアラブル装置は、前記回路基板の一方の面を覆うカバー部材を有してよい。前記可撓性基板は、前記回路基板の一方の面に接続された接続部と、前記接続部と前記貫通部との間において、前記回路基板の前記一方の面から離れる方向に湾曲した湾曲部とを含んでよい。前記湾曲部は、前記回路基板の前記一方の面から離れる方向における前記第１支持部材の端部を跨ぐように湾曲してよい。前記カバー部材は、前記回路基板の前記一方の面と平行な方向において前記湾曲部の周囲の少なくとも一部を囲んだ内壁を含んでよい。
【００２７】
この構成によれば、前記湾曲部の周囲の少なくとも一部が前記内壁によって囲まれているため、前記貫通部から前記接続部へ渡る前記可撓性基板の位置が定まり易くなる。
【００２８】
好適に、前記ウェアラブル装置は、前記回路基板の一方の面において、前記外縁部に沿って配列された複数の電子部品を有してよい。前記孔は、前記電子部品よりも前記外縁部から離れた位置に形成されてよい。前記スリットは、隣接する２つの前記電子部品の間に形成されてよい。
【００２９】
この構成によれば、前記回路基板における前記外縁部の近くの領域が前記複数の電子部品の配置領域として用いられる。
【００３０】
好適に、前記ウェアラブル装置は、複数の前記操作ボタンと、前記複数の操作ボタンへの操作に伴って移動する複数の前記可動部材と、それぞれ前記回路基板の配線と接続され、前記複数の可動部材への操作に応じて作動する複数の前記スイッチとを有してよい。前記回路基板は、前記複数のスイッチが配置される複数の前記孔と、前記外縁部から前記複数の孔に向かって延びた複数の前記スリットとを含んでよい。前記複数の操作ボタンは、前記回路基板の平面と平行な方向に並んでいてよい。
【００３１】
この構成によれば、前記複数の操作ボタンが前記回路基板の平面と平行な方向に並んでいるため、前記回路基板の平面と垂直な方向における前記ウェアラブル装置のサイズの小型化が容易になる。
【００３２】
好適に、上記ウェアラブル装置は、時計ムーブメントと、２つの前記操作ボタンの間に配置された竜頭と、前記回路基板の平面と平行に配置され、前記時計ムーブメントと前記竜頭とを結合するシャフトとを有してよい。
【００３３】
この構成によれば、前記２つの操作ボタンの間に前記竜頭が配置されるため、前記竜頭と前記２つの操作ボタンの操作が容易になる。
【００３４】
好適に、前記電子部品は発光素子であってよい。少なくとも１２個の前記発光素子が前記時計ムーブメントの周囲に配置されてよい。
【００３５】
この構成によれば、前記発光素子の各々を時計における時間の表示に対応させ易くなる。
【発明の効果】
【００３６】
本発明によれば、回路基板の外縁部の近くにスイッチを配置できない場合でも、操作ボタンの操作によって外縁部側からスイッチを作動させることができる。
【図面の簡単な説明】
【００３７】
【図１】本実施形態に係るウェアラブル装置の一例を示す正面図である。図１Ａは正面側からみたウェアラブル装置の外観を示し、図１Ｂはケースの内部に収容される本体ユニットを示す。
【図２】図１Ｂに示す本体ユニットの斜視図である。
【図３】図１Ｂに示す本体ユニットの分解斜視図である。
【図４】回路基板の正面図である。
【図５】カバー部材とベース部材の図示を省略した状態における本体ユニットの要部の拡大斜視図である。
【図６】スイッチとその周辺の部品の斜視図である。図６Ａは主に可撓性基板とスイッチと可動部材を示し、図６Ｂは可動部材のみを示す。
【図７】ベース部材に設けられた一方の可撓性基板の支持部材を示す拡大斜視図である。図７Ａは支持部材と可撓性基板を示し、図７Ｂは図７Ａから可撓性基板を除いた状態を示す。
【図８】ベース部材に設けられた他方の可撓性基板の支持部材を示す拡大斜視図である。図８Ａは支持部材と可撓性基板を示し、図８Ｂは図８Ａから可撓性基板を除いた状態を示す。
【図９】カバー部材の一例を示す図である。図９Ａは正面側からみたカバー部材を示し、図９Ｂは背面側からみたカバー部材を示す。
【図１０】カバー部材の要部を示す拡大斜視図である。
【発明を実施するための形態】
【００３８】
以下、本実施形態に係るウェアラブル装置について図面を参照しながら説明する。
図１は、本実施形態に係るウェアラブル装置の一例を示す正面図である。図１Ａは正面側からみたウェアラブル装置の外観を示し、図１Ｂはケース６０の内部に収容される本体ユニット５を示す。図１に示すウェアラブル装置は、腕時計である。図１Ａは、腕時計の本体のみを示しており、腕に巻き付けるベルトの部分は図示を省略している。
【００３９】
本明細書では、互いに直交する３つの方向を「Ｘ」、「Ｙ」及び「Ｚ」と記す。また、Ｘ方向に含まれる互いに逆向きの方向を「Ｘ１」及び「Ｘ２」と記し、Ｙ方向に含まれる互いに逆向きの方向を「Ｙ１」及び「Ｙ２」と記し、Ｚ方向に含まれる互いに逆向きの方向を「Ｚ１」及び「Ｚ２」と記す。ただし、ウェアラブル装置に対するＺ１側を「正面側」、Ｚ２側を「背面側」と記す場合がある。
【００４０】
図１Ａに示すウェアラブル装置は、正面側からみて概ね円形のケース６０を有する。ケース６０は、Ｚ方向の厚みが薄い扁平な形状を持つ。ケース６０の正面側には、透明なガラスで覆われた円形の文字盤６２が設けられている。文字盤６２の中心には、図１Ｂに示すように回転軸５３が突出しており、この回転軸５３に時針６３と分針６４が取り付けられている。ケース６０における文字盤６２の周囲には、透光性を有する環状の発光領域６１が設けられている。発光領域６１は、図１Ｂに示す複数の発光素子２１の光を透過する。
【００４１】
図１に示すウェアラブル装置は、時針６３及び分針６４を回転させて時刻を合わせるために用いられる竜頭（りゅうず）５０を有する。竜頭５０は、ケース６０の正面側からみて、回転軸５３のＸ１方向に位置する。竜頭５０が位置する回転軸５３のＸ１方向は、回転軸５３を中心に回転する時針６３の「３時方向」に相当する。
【００４２】
また、図１に示すウェアラブル装置は、正面側からみて竜頭５０のＹ１側とＹ２側にそれぞれ操作ボタン１０Ａと操作ボタン１０Ｂを有する。時針６３の方向で表現すると、操作ボタン１０Ａは「２時方向」に位置し、操作ボタン１０Ｂは「４時方向」に位置する。「２時方向」は、「３時方向」（回転軸５３のＸ１方向）に対してＹ１側に３０度傾いた方向である。「４時方向」は、「３時方向」に対してＹ２側に３０度傾いた方向である。以下の説明では、「２時方向」に平行な方向を「Ａ方向」と記し、「４時方向」に平行な方向を「Ｂ方向」と記す場合がある。
【００４３】
本実施形態に係るウェアラブル装置は、操作ボタン１０Ａに関連する構成要素と、操作ボタン１０Ｂに関連する構成要素とをそれぞれ備える。操作ボタン１０Ａに関連する構成要素の符号の末尾には「Ａ」を付し、操作ボタン１０Ｂに関連する構成要素の符号の末尾には「Ｂ」を付している。操作ボタン１０Ａに関連する構成要素と、操作ボタン１０Ｂに関連する構成要素とは、本体ユニット５における配置位置が異なるものの、構造や機能は概ね等価である。そのため、以下では、操作ボタン１０Ａに関連する構成要素のみを説明し、操作ボタン１０Ｂに関連する構成要素の説明を省略する場合がある。この場合、操作ボタン１０Ａに関連する構成要素の説明は、符号の末尾の「Ａ」を「Ｂ」に読み替え、「Ａ方向」を「Ｂ方向」に読み替えることで、操作ボタン１０Ｂに関連する構成要素の説明に置き換えることができる。
【００４４】
図２は、図１Ｂに示す本体ユニット５の斜視図である。図３は、本体ユニット５の分解斜視図である。図２及び図３に示すように、本体ユニット５は、回路基板２０と、ベース部材３０と、カバー部材４０を有する。回路基板２０とベース部材３０とカバー部材４０は、正面側からみた形状が略合同な円であり、それぞれＺ方向の厚みが薄い円盤状の形状を持ち、Ｚ方向へ同心状に並んでいる。回路基板２０は、ベース部材３０のＺ１側に載置される。カバー部材４０は、回路基板２０のＺ１側の面を覆う。
【００４５】
本体ユニット５は、図３に示すように、操作ボタン１０Ａの操作に伴って移動する可動部材１２Ａと、可動部材１２Ａの移動に応じて作動するスイッチ１１Ａと、スイッチ１１Ａが取り付けられた可撓性基板１３Ａとを有する。スイッチ１１Ａは、可撓性基板１３Ａの配線を介して回路基板２０の配線と接続される。
【００４６】
また、本体ユニット５は、操作ボタン１０Ｂに関連する構成要素として、可動部材１２Ｂと、スイッチ１１Ｂと、可撓性基板１３Ｂを有する。
【００４７】
本体ユニット５は、図２及び図３に示すように、回転軸５３を回転駆動し、時針６３及び分針６４をそれぞれ回転させる時計ムーブメント５１を有する。時計ムーブメント５１は、シャフト５２を介して竜頭５０と結合される。シャフト５２は、カバー部材４０の溝４８においてＸＹ平面と略平行に配置される。
【００４８】
また、図３の例において、ベース部材３０の内側には、Ｚ２方向へ落ち込んだ矩形の窪み３９が形成されており、この窪み３９の中にバッテリ６５が収容されている。バッテリ６５は、図示しない配線を介して回路基板２０の配線と接続されており、回路基板２０に形成された回路に電源を供給する。
【００４９】
図４は、回路基板２０の正面図であり、Ｚ１側からみた回路基板２０を示す。図４の例において、回路基板２０のＺ１側の面には、２４個の発光素子２１が取り付けられている。２４個の発光素子２１は、円形の回路基板２０の外縁部に沿って等間隔に配列されている。図４の例では、回路基板２０に取り付けられている他の部品（例えば発光素子２１の駆動用ＩＣや、コントロール用ＩＣなど）の図示が省略されている。
【００５０】
回路基板２０の中央部には、図４に示すように、時計ムーブメント５１を配置させるための孔２９が形成される。
【００５１】
回路基板２０は、操作ボタン１０Ａに関連する構成要素である孔２２Ａ及びスリット２３Ａと、操作ボタン１０Ｂに関連する構成要素である孔２２Ｂ及びスリット２３Ｂを有する。
【００５２】
孔２２Ａは、図４に示すように、発光素子２１よりも回路基板２０の外縁部から離れた位置に形成される。正面側からみて、孔２２Ａは回路基板２０の中心から操作ボタン１０Ａへ向かう方向（Ａ方向）に位置しており、概ね長方形の形状を持つ。孔２２Ａは、Ａ方向に略平行な２つの辺を持つ。
【００５３】
スリット２３Ａは、図４に示すように、外縁部から孔２２Ａに向かって延びている。図４の例において、スリット２３ＡはＡ方向と略平行に延びており、長方形の孔２２Ａの中央部とつながっている。スリット２３Ａは、隣接する２つの発光素子２１の略中央を通る。
【００５４】
図５は、カバー部材４０とベース部材３０の図示を省略した状態における本体ユニット５の要部の拡大斜視図である。図６は、スイッチ１１Ａ及び１１Ｂとその周辺の部品を示す斜視図である。図６Ａは、主に可撓性基板１３Ａ，１３Ｂとスイッチ１１Ａ，１１Ｂと可動部材１２Ａ，１２Ｂを示す。図６Ｂは、可動部材１２Ａ，１２Ｂのみを示す。図６Ａ及び図６Ｂの視線の方向は、図５と同じである。
【００５５】
図５に示すように、スイッチ１１Ａは孔２２Ａに配置される。可動部材１２Ａはスリット２３Ａに配置されており、スリット２３Ａに沿ってＡ方向に移動する。
【００５６】
可動部材１２Ａは、図６Ｂに示すように、本体部１２１Ａと係合部１２２Ａと突起部１２３Ａを有する。本体部１２１Ａは、略直方体であり、Ｚ方向に垂直な２つの面と、Ａ方向に垂直な２つの面を持つ。係合部１２２Ａは、本体部１２１ＡのＺ１側の面に設けられた円柱状の突起であり、カバー部材４０の後述する係合孔４３Ａと係合する。突起部１２３Ａは、本体部１２１ＡにおけるＡ方向と垂直な一方の面に設けられており、スイッチ１１Ａを押圧する。本体部１２１ＡにおけるＡ方向と垂直な他方の面は、操作ボタン１０Ａによって押圧される。
【００５７】
可動部材１２Ｂは、可動部材１２Ａと同様に、本体部１２１Ｂと係合部１２２Ｂと突起部１２３Ｂを有する。
【００５８】
可撓性基板１３Ａは、図６Ａに示すように、貫通部１３１Ａと、湾曲部１３２Ａと、接続部１３３Ａを有する。可撓性基板１３Ａは、例えばフレキシブルプリント基板であり、図６Ａに示すように曲げた状態で回路基板２０に取り付けられる。
【００５９】
貫通部１３１Ａは、図５に示すように、回路基板２０の孔２２Ａを貫通する。図５及び図６の例において、貫通部１３１Ａは概ねＺ方向に延びている。貫通部１３１Ａの２つの平面は、Ａ方向と概ね垂直である。貫通部１３１は、例えば補強板などが貼り合わされており、接続部１３３Ａや湾曲部１３２Ａに比べて厚くなっている。可動部材１２Ａと対向する貫通部１３１Ａの一方の平面には、スイッチ１１Ａが取り付けられている。
【００６０】
貫通部１３１Ａは、図６Ａに示すように、回路基板２０から離れる方向における端部を持つ。貫通部１３１Ａの端部は、回路基板２０の孔２２Ａに対してＺ２側にある。貫通部１３１Ａの端部には、回路基板２０に向かって窪んだ凹部１３４Ａが形成される。凹部１３４Ａは、Ａ方向からみて半円状に湾曲している。
【００６１】
接続部１３３Ａは、図５に示すように、コネクタ２４Ａを介して回路基板２０のＺ１側の面に接続される。湾曲部１３２Ａは、貫通部１３１Ａと接続部１３３Ａとの間に設けられており、回路基板２０のＺ１側の面から離れる方向に湾曲している。
【００６２】
可撓性基板１３Ｂは、可撓性基板１３Ａと同様に、貫通部１３１Ｂと、湾曲部１３２Ｂと、接続部１３３Ｂを有する。接続部１３３Ｂは、接続部１３３Ａと同様に、コネクタ２４Ｂを介して回路基板２０に接続される。貫通部１３１Ｂの端部には、貫通部１３１Ａと同様に、凹部１３４Ｂが形成される。
【００６３】
図７は、ベース部材３０に設けられた可撓性基板１３Ａの支持部材（３１Ａ、３２Ａ）を示す拡大斜視図である。図７Ａは支持部材（３１Ａ、３２Ａ）と可撓性基板１３Ａを示し、図７Ｂは図７Ａから可撓性基板１３Ａを除いた状態を示す。なお、図７Ａ及び図７Ｂでは、支持部材（３１Ａ、３２Ａ）の構造を図解するために、ベース部材３０の一部をＸＺ平面に平行な平面で切除することにより図示を省略している。
【００６４】
ベース部材３０は、操作ボタン１０Ａに関連する構成要素として、第１支持部材３１Ａと、第２支持部材３２Ａと、案内溝３３Ａを有する。
【００６５】
第１支持部材３１Ａは、回路基板２０の孔２２Ａに配置され、可動部材１２Ａの移動方向（Ａ方向）に対して垂直な支持面３１１Ａ（図７Ｂ）を持つ。支持面３１１Ａは、回路基板２０の孔２２Ａを貫通している。可撓性基板１３Ａの一部（貫通部１３１Ａ）は、支持面３１１Ａとスリット２３Ａ（図４）との間に位置する。支持面３１１Ａとスリット２３Ａとの間では、貫通部１３１Ａの一方の面１３１１Ａ（図７Ａ）と支持面３１１Ａ（図７Ｂ）とが対向するとともに、貫通部１３１Ａの他方の面１３１２Ａ（図７Ａ）とスリット２３Ａ（図４）とが対向する。スイッチ１１Ａは、スリット２３Ａと対向する貫通部１３１Ａの面１３１２Ａに取り付けられている。
【００６６】
図７Ａ及び図７Ｂに示すように、可撓性基板１３Ａの貫通部１３１Ａは、支持面３１１Ａに沿って延びている。支持面３１１Ａと対向する貫通部１３１Ａの面１３１１Ａは、例えば両面テープなどによって支持面３１１Ａに接着される。
【００６７】
可撓性基板１３Ａの湾曲部１３２Ａは、図７Ａに示すように、回路基板２０のＺ１側の面から離れる方向（Ｚ１方向）における第１支持部材３１Ａの端部を跨ぐように湾曲している。
【００６８】
第２支持部材３２Ａは、回路基板２０の孔２２Ａに対してＺ２側にある貫通部１３１Ａの端部を支持する。図７Ｂの例において、第２支持部材３２Ａは、回路基板２０から離れる方向（Ｚ２方向）へ窪んだ凹部３２２Ａと、凹部３２２Ａの中に形成された凸部３２１Ａを有する。貫通部１３１Ａの端部が凹部３２２Ａの中に配置された状態で、貫通部１３１Ａの端部に形成された凹部１３４Ａと凸部３２１Ａとが係合する。
【００６９】
案内溝３３Ａは、スリット２３Ａと共に可動部材１２Ａの移動を案内する。案内溝３３Ａは、スリット２３Ａと略同じ幅を持ち、Ａ方向に延びている。回路基板２０のＺ２側にはみ出した可動部材１２Ａの一部が、案内溝３３Ａの中でＡ方向に移動する。
【００７０】
図８は、ベース部材３０に設けられた可撓性基板１３Ｂの支持部材（３１Ｂ、３２Ｂ）を示す拡大斜視図である。図８Ａは支持部材（３１Ｂ、３２Ｂ）と可撓性基板１３Ｂを示し、図８Ｂは図８Ａから可撓性基板１３Ｂを除いた状態を示す。なお、図８Ａ及び図８Ｂでは、支持部材（３１Ｂ、３２Ｂ）の構造を図解するために、ベース部材３０の一部をＸＺ平面に平行な平面で切除することにより図示を省略している。
【００７１】
ベース部材３０は、操作ボタン１０Ｂに関連する構成要素として、第１支持部材３１Ｂと、第２支持部材３２Ｂと、案内溝３３Ｂを有する。第１支持部材３１Ｂは、第１支持部材３１Ａと同様に、支持面３１１Ｂを有する。貫通部１３１Ｂの一方の面１３１１Ｂ（図８Ａ）と支持面３１１Ｂ（図８Ｂ）とが対向するとともに、貫通部１３１Ｂの他方の面１３１２Ｂ（図８Ａ）とスリット２３Ｂ（図４）とが対向する。第２支持部材３２Ｂは、第２支持部材３２Ａと同様に、凹部３２２Ｂと凸部３２１Ｂを有する。
【００７２】
図９は、カバー部材４０の一例を示す図である。図９Ａは正面側からみたカバー部材４０を示し、図９Ｂは背面側からみたカバー部材４０を示す。図１０は、カバー部材４０の要部を示す拡大斜視図であり、Ｚ２側からみたカバー部材４０の孔４２Ａ付近の構造を示す。
【００７３】
図９に示すように、カバー部材４０は、回路基板２０に取り付けられた２４個の発光素子２１に対応する２４個の導光路４１を有する。導光路４１は、対応する発光素子２１から出射された光を回路基板２０のＺ１側の面に対して垂直な方向（Ｚ１方向）へ導く。図９の例において、正面側からみた導光路４１の形状は略正方形である。カバー部材４０は、例えば遮光性を有する絶縁材料によって形成してよい。また、導光路４１の内面には、例えば光反射膜などを設けてもよい。
【００７４】
カバー部材４０の中央部には、図９に示すように、時計ムーブメント５１を配置させるための孔４９が形成される。カバー部材４０のＺ１側の面には、カバー部材４０の中心からＸ１方向へ延びる直線に沿って溝４８が形成される。溝４８には、時計ムーブメント５１と竜頭５０を結合するシャフト５２が配置される。
【００７５】
カバー部材４０は、操作ボタン１０Ａに関連する構成要素として、孔４２Ａと、係合孔４３Ａと、案内溝４４Ａと、凹部４５Ａを有する。
【００７６】
係合孔４３Ａは、図２に示すように、可動部材１２Ａの係合部１２２Ａと係合する。係合孔４３Ａは、正面側からみてＡ方向にやや長い円の形状を持ち、隣接する２つの導光路４１の間（図９の例では略中央）に形成される。可動部材１２Ａの可動範囲は、係合孔４３Ａに係合した円柱状の係合部１２２Ａの可動範囲によって制限される。
【００７７】
孔４２Ａは、図９に示すように、正面側からみて長方形に近い形状を持っており、係合孔４３Ａに比べてカバー部材４０の外縁部から離れた位置にある。孔４２Ａの中には、図２に示すように、可撓性基板１３Ａの湾曲部１３２Ａが位置する。湾曲部１３２Ａは、図１０に示すように、孔４２Ａの内壁４６によってＡ方向に垂直な２つの方向から囲まれている。これにより、湾曲部１３２Ａは、Ａ方向に垂直な方向への位置ずれを生じ難くなっている。
【００７８】
案内溝４４Ａは、スリット２３Ａ及び案内溝３３Ａと共に可動部材１２Ａの移動を案内する。案内溝４４Ａは、スリット２３Ａ及び案内溝３３Ａと略同じ幅を持ち、カバー部材４０の外縁部から孔４２Ａに向かってＡ方向に延びている。回路基板２０のＺ１側にはみ出した可動部材１２Ａの一部が、案内溝４４Ａの中でＡ方向に移動する。係合孔４３Ａは、案内溝４４Ａの途中に形成される。
【００７９】
凹部４５Ａは、図９Ｂに示すように、背面側からみて長方形に近い形状を持っており、外縁部から離れた位置で孔４２Ａに接している。凹部４５Ａの中には、可撓性基板１３Ａの接続部１３３Ａが位置する。接続部１３３Ａは、凹部４５Ａの内壁４７によってＡ方向に垂直な２つの方向から囲まれている。これにより、接続部１３３Ａは、Ａ方向に垂直な方向への位置ずれを生じ難くなっている。
【００８０】
カバー部材４０は、操作ボタン１０Ｂに関連する構成要素として、孔４２Ｂと、係合孔４３Ｂと、案内溝４４Ｂと、凹部４５Ｂを有する。
【００８１】
本実施形態に係るウェアラブル装置では、操作ボタン１０ＡをＡ方向へ押圧すると、操作ボタン１０Ａによって可動部材１２Ａが押されてＡ方向に移動し、可動部材１２Ａによってスイッチ１１Ａが押圧されて作動する。可動部材１２Ａの可動範囲は、係合部１２２Ａと係合孔４３Ａとの係合によって適切な範囲に制限される。操作ボタン１０ＢをＢ方向へ押圧した場合も同様に動作する。
【００８２】
上述した構成を有する本実施形態に係るウェアラブル装置によれば、次のような効果が得られる。
【００８３】
（１）回路基板２０の外縁部から離れた位置にある孔２２Ａにスイッチ１１Ａが配置されており、操作ボタン１０Ａが操作されると、外縁部から孔２２Ａに向かって延びるスリット２３Ａに沿って可動部材１２Ａが移動し、この移動に応じてスイッチ１１Ａが作動する。すなわち、スイッチ１１Ａが回路基板２０の外縁部から離れた位置に配置されていても、操作ボタン１０Ａの操作に伴って可動部材１２Ａがスリット２３Ａを移動することにより、スイッチ１１Ａを外縁部側から作動させることができる。
【００８４】
（２）回路基板２０における外縁部の近くの領域を複数の発光素子２１の配置領域として用いることができる。また、カバー部材４０に設けられた複数の導光路４１により、複数の発光素子２１から出射された光を回路基板２０の正面方向へ導くことができる。
【００８５】
（３）可動部材１２Ａに設けられた係合部１２２Ａと係合孔４３Ａとが係合することによって、Ａ方向における可動部材１２Ａの可動範囲を制限できる。また、隣接した２つ発光素子２１に対応する２つの導光路４１の間に係合孔４３Ａが形成されるため、回路基板２０の外縁部付近における発光素子２１の配置領域を確保し易い。しかも、発光素子２１の導光路としての機能と可動部材１２Ａの可動範囲を制限する機能とをカバー部材４０において兼用できるため、それぞれに別の部材を設ける場合に比べて部品数を減らすことができる。
【００８６】
（４）操作ボタン１０Ａの操作に伴う可動部材１２Ａの移動に応じてスイッチ１１Ａに力が作用しても、可撓性基板１３Ａが柔軟に変形し得るため、スイッチ１１Ａと可撓性基板１３Ａとの接続部分や、回路基板２０と可撓性基板１３Ａとの接続部分に作用する力を低減し易くすることができる。
【００８７】
（５）スリット２３Ａを移動する可動部材１２Ａによりスイッチ１１Ａが押圧されると、スイッチ１１Ａ及び可撓性基板１３Ａは、第１支持部材３１Ａの支持面３１１Ａに向かって押されて、可動部材１２Ａと支持面３１１Ａとの間に挟まれる。支持面３１１Ａが可動部材１２Ａの移動方向に対して垂直であるため、可動部材１２Ａの押圧力は、可撓性基板１３Ａとスイッチ１１Ａとの接続を引きは剥がす方向に作用し難い。これにより、可撓性基板１３Ａとスイッチ１１Ａとの接続の耐久性を向上できる。
（６）可撓性基板１３Ａの一方の面１３１１Ａが支持面３１１Ａに接着されることにより、可撓性基板１３Ａの位置を安定的に固定できる。また、支持面３１１Ａが可動部材１２Ａの移動方向に対して垂直であるため、可動部材１２Ａ材の押圧力は、可撓性基板１３Ａと支持面３１１Ａとの接着を引きは剥がす方向に作用し難い。これにより、可撓性基板１３Ａと支持面３１１Ａとの接着の耐久性を向上できる。
【００８８】
（７）第１支持部材３１Ａの支持面３１１Ａが可撓性基板１３Ａの貫通部１３１Ａと共に回路基板２０の孔２２Ａを貫通しているため、孔２２Ａと支持面３１１Ａとにより可撓性基板１３Ａの位置が定まり易くなる。これにより、可撓性基板１３Ａの位置ずれを生じ難くすることができる。また、可撓性基板１３Ａの位置ずれが生じ難くなることで、組み立て作業が容易になる。
【００８９】
（８）回路基板２０から離れた可撓性基板１３Ａの貫通部１３１Ａの端部が第２支持部材３２Ａによって支持されるため、可撓性基板１３Ａの位置が定まり易くなる。これにより、可撓性基板１３Ａの位置ずれを生じ難くすることができる。
【００９０】
（９）貫通部１３１Ａの端部において回路基板２０に向かって窪んだ凹部１３４Ａが第２支持部材３２Ａの凸部３２１Ａと係合することにより、回路基板２０に対して平行な方向における貫通部１３１Ａの端部の位置が定まり易くなる。これにより、可撓性基板１３Ａの位置ずれを生じ難くすることができる。
【００９１】
（１０）回路基板２０のＺ１側の面を覆うカバー部材４０の内壁４６によって、回路基板２０のＺ１側の面と平行な方向における湾曲部１３２Ａの周囲の少なくとも一部（Ａ方向に垂直な２つの方向）が囲まれている。そのため、貫通部１３１Ａから接続部１３３Ａへ渡る部分における可撓性基板１３Ａの位置が定まり易くなる。これにより、可撓性基板１３Ａの位置ずれを生じ難くすることができる。
【００９２】
（１１）複数の操作ボタン（１０Ａ、１０Ｂ）が回路基板２０の平面と平行な方向に並んでいるため、回路基板２０の平面と垂直な方向におけるウェアラブル装置のサイズを小さくすることができる。
【００９３】
（１２）２つの操作ボタン（１０Ａ、１０Ｂ）の間に竜頭５０が配置されるため、竜頭５０と２つの操作ボタンの操作が容易になる。
【００９４】
（１３）少なくとも１２個の発光素子２１が時計ムーブメント５１の周囲に配置されているため、発光素子２１の各々を時計における時間の表示に対応させ易くなる。
【００９５】
なお、本発明は上述した実施形態にのみ限定されるものではなく、種々のバリエーションを含んでいる。
【００９６】
上述した実施形態では、回路基板２０の外縁部に沿って複数の発光素子２１が配列される例を挙げたが、回路基板の外縁部に沿って配置される電子部品は任意であり、発光素子に限定されない。すなわち、回路基板における外縁部の近くの領域を、発光素子以外の電子部品の配置領域として用いることも可能である。
【００９７】
また、回路基板２０の外縁部の近くが電子部品以外のもの（例えばケース内の他の部品や、ケースの内面に形成されたリブなど）によって占められている場合にも、本発明は適用可能である。
【００９８】
上述した実施形態では、操作ボタン（１０Ａ、１０Ｂ）の操作により押圧されて作動するスイッチ（１１Ａ、１１Ｂ）が用いられる例を挙げたが、他の実施形態では、押圧スイッチ以外のスイッチ（回転スイッチ、傾倒スイッチ、引きスイッチなど）が用いられてもよい。
【００９９】
上述した実施形態では、操作ボタン（１０Ａ、１０Ｂ）と可動部材（１２Ａ、１２Ｂ）とが独立した部材である例を挙げたが、他の実施形態では、操作ボタンと可動部材とが一体的に形成されていてもよい。
【０１００】
上述した実施形態では、スイッチ（１１Ａ、１１Ｂ）と回路基板２０とが可撓性基板（１３Ａ、１３Ｂ）を介して接続される例を挙げたが、他の実施形態では、可撓性基板以外のもの（ケーブル配線、非可撓性の基板など）によってスイッチと回路基板とが接続されてもよい。
【０１０１】
上述した実施形態では、ウェアラブル装置として腕時計を例に挙げたが、身に着けて使用可能な他の種々のウェアラブル装置にも本発明は適用可能である。
【符号の説明】
【０１０２】
５…本体ユニット、１０Ａ，１０Ｂ…操作ボタン、１１Ａ，１１Ｂ…スイッチ、１２Ａ，１２Ｂ…可動部材、１２１Ａ，１２１Ｂ…本体部、１２２Ａ，１２２Ｂ…係合部、１２３Ａ，１２３Ｂ…突起部、１３Ａ，１３Ｂ…可撓性基板、１３１Ａ，１３１Ｂ…貫通部、１３２Ａ，１３２Ｂ…湾曲部、１３３Ａ，１３３Ｂ…接続部、１３４Ａ，１３４Ｂ…凹部、２０…回路基板、２１…発光素子、２２Ａ，２２Ｂ…孔、２３Ａ，２３Ｂ…スリット、２４Ａ，２４Ｂ…コネクタ、２９…孔、３０…ベース部材、３１Ａ，３１Ｂ…第１支持部材、３１１Ａ，３１１Ｂ…支持面、３２Ａ，３２Ｂ…第２支持部材、３２１Ａ，３２１Ｂ…凸部、３２２Ａ，３２２Ｂ…凹部、３３Ａ，３３Ｂ…案内溝、４０…カバー部材、４１…導光路、４２Ａ，４２Ｂ…孔、４３Ａ，４３Ｂ…係合孔、４４Ａ，４４Ｂ…案内溝、４５Ａ，４５Ｂ…凹部、４６，４７…内壁、４８…溝、４９…孔、５０…竜頭、５１…時計ムーブメント、５２…シャフト、５３…回転軸、６０…ケース、６１…発光領域、６２…文字盤、６３…時針、６４…分針、６５…バッテリ
【図１】
2018185226.tif 000003
【図２】
2018185226.tif 000004
【図３】
2018185226.tif 000005
【図４】
2018185226.tif 000006
【図５】
2018185226.tif 000007
【図６】
2018185226.tif 000008
【図７】
2018185226.tif 000009
【図８】
2018185226.tif 000010
【図９】
2018185226.tif 000011
【図１０】
2018185226.tif 000012